(57)【要約】      （修正有）【課題】ＡＣ成分を歪みなく送信しながら出力信号のＤＣ電圧成分を除去する、線形オプトカプラを用いた線形絶縁増幅器を提供する。【解決手段】絶縁回路８は、入力ＡＣ信号１４を受信する第１の入力端子を有し、線形オプトアイソレータ２２を含む絶縁増幅器１０を含む。オプトアイソレータは、入力信号に比例したＡＣ成分を有するユニポーラ出力信号２４を供給する第１の出力端子を有する。絶縁回路は、演算増幅器２６、積分器３０を有するトランスインピーダンス受信機１２をさらに含む。演算増幅器は、第２の出力２８を形成し、ユニポーラ出力信号を受信して増幅する。積分器は、演算増幅器に接続された出力信号３４を有し、差動入力端子は、出力信号と、接続部３２を介した接地信号を受信する。【選択図】図１
2017188898.tif 000002
【特許請求の範囲】
【請求項１】
電子回路であって、
絶縁増幅器であって、入力ＡＣ信号を受信するように結合された第１の入力端子を有し、かつ線形オプトアイソレータを含み、第１の出力端子を有して、前記入力信号に比例するＡＣ成分を有するユニポーラ信号を前記第１の出力端子にて供給するように結合されている、絶縁増幅器と、
トランスインピーダンス受信機であって、
第１の演算増幅器であって、第２の出力端子と第１の差動入力端子及び第２の差動入力端子とを有し、前記第１の差動入力端子は、前記回路からの出力信号を前記第２の出力端子にて供給するように、前記ユニポーラ出力信号を前記第１の出力端子から受信し増幅するように結合されている、第１の演算増幅器と、
第２の演算増幅器であって、積分器として構成されており、前記第２の差動入力端子に結合された第３の出力端子を有し、また第３の差動入力端子及び第４の差動入力端子を有し、前記第３の差動入力端子は、前記出力信号を、前記第２の出力端子及び接地に接続された前記第４の差動入力端子から受信するように結合されている、第２の演算増幅器と、を含む、トランスインピーダンス受信機と、
を備える、電子回路。
【請求項２】
前記トランスインピーダンス受信機は、前記第２の演算増幅器に結合された入力抵抗器及び帰還コンデンサを含み、値は、高域フィルタとして構成されたＡＣ結合増幅器として前記トランスインピーダンス受信機が機能するように選択されている、請求項１に記載の電子回路。
【請求項３】
前記高域フィルタは、単極高域フィルタを含む、請求項２に記載の電子回路。
【請求項４】
前記第２の出力端子での前記出力信号は、ゼロのＤＣ成分を有する、請求項１に記載の電子回路。
【請求項５】
前記絶縁増幅器は、基準ＤＣ電圧を受信するように結合された第２の入力端子を有し、一方、前記トランスインピーダンス受信機は、任意の基準ＤＣ電圧を使用せずに前記出力信号を生成する、請求項１に記載の電子回路。
【請求項６】
電子回路を製造する方法であって、
絶縁増幅器を設けることであって、前記絶縁増幅器は、入力ＡＣ信号を受信するように結合された第１の入力端子を有し、かつ線形オプトアイソレータを含み、第１の出力端子を有して、前記入力信号に比例するＡＣ成分を有するユニポーラ信号を前記第１の出力端子にて供給するように結合されている、設けることと、
トランスインピーダンス受信機を設けることであって、前記トランスインピーダンス受信機は、
第１の演算増幅器であって、第２の出力端子と第１の差動入力端子及び第２の差動入力端子とを有し、前記第１の差動入力端子は、前記回路からの出力信号を前記第２の出力端子にて供給するように、前記ユニポーラ出力信号を前記第１の出力端子から受信し増幅するように結合されている、第１の演算増幅器と、
第２の演算増幅器であって、積分器として構成されており、前記第２の差動入力端子に結合された第３の出力端子を有し、また第３の差動入力端子及び第４の差動入力端子を有し、前記第３の差動入力端子は、前記出力信号を、前記第２の出力端子及び接地に接続された前記第４の差動入力端子から受信するように結合されている、第２の演算増幅器と、を含む、設けることと、を含む、方法。
【請求項７】
前記トランスインピーダンス受信機は、前記第２の演算増幅器に結合された入力抵抗器及び帰還コンデンサを含み、値は、高域フィルタとして構成されたＡＣ結合増幅器として前記トランスインピーダンス受信機が機能するように選択される、請求項６に記載の方法。
【請求項８】
前記高域フィルタは、単極高域フィルタを含む、請求項７に記載の方法。
【請求項９】
前記第２の出力端子での前記出力信号は、ゼロのＤＣ成分を有する、請求項６に記載の方法。
【請求項１０】
前記絶縁増幅器は、基準ＤＣ電圧を受信するように結合された第２の入力端子を有し、一方、前記トランスインピーダンス受信機は、任意の基準ＤＣ電圧を使用せずに前記出力信号を生成する、請求項６に記載の方法。
【発明の詳細な説明】
【技術分野】
【０００１】
本発明は、一般に、電子回路、特に、線形絶縁増幅器に関する。
【背景技術】
【０００２】
電子信号、つまり、電圧又は電流信号が、２つの部分間のいかなるオーム接点なしに電子回路の１つの部分からその回路の別の部分に送信されることが一般に必要とされる。このような場合の例は、患者が回路の一方の部分によりモニタされるときなど、一方の部分が人間と接触しており、他方の部分が外部電子装置に接続される回路によりもたらされる。完全なオーム絶縁を回路の２つの部分間でもたらすことにより、外部電子装置内で電子的誤動作が発生しても有害な電流が患者を通って流れたりしないことを確実にする。信号を伝えるために広く使用されている電子回路は、回路の２つの部分を絶縁している間は、線形オプトカプラに基づいて線形絶縁増幅器である。「信号」という用語は、特記がない限り、電子電圧又は電流信号を示すために本発明の説明及び特許請求の範囲において使用される。
【０００３】
線形オプトカプラは、光学エミッタ及び受信機の１つ又は２つ以上の対を介して信号を送信し、電子信号が、まず光信号に、その後、再び、電子信号に変換されるようになっている。エミッタ受信機対の非対称の構成、及び、出射された光子を透過する非電導性（誘電）間隙のため、信号は、１つの方向にのみ進むことになり、逆電流が患者の方に流れる可能性はない。しかしながら、光回路の使用により、ユニポーラという条件が送信信号に課される。（明瞭さのために、以下の説明では、正のユニポーラ信号、並びに、正の基準電圧及び閾値電圧に言及するが、負のユニポーラ信号が、負のオフセット電圧及び閾値電圧とともに、同様に使用され得る。）正のユニポーラの要件に加えて、フォトニックエミッタは、ゼロを上回る閾値励起を超えると初めて線形挙動を示すという事実のために、送信信号の最小値は、一般的に、この閾値を上回るように設定される。
【０００４】
伝達される信号が純粋なＡＣ信号であるとき、この信号は、線形オプトカプラに入力される前に正のユニポーラ信号に変換される。この変換は、線形絶縁増幅器内の前置増幅器により達成することができ、この前置増幅器は、一定の正のＤＣ基準電圧をＡＣ信号に追加し、その結果、十分に高い正の最小値を有する正のユニポーラ信号が作成される。正のユニポーラ信号が線形オプトカプラを通過すると、そのＡＣ成分を復元することができる。
【発明の概要】
【課題を解決するための手段】
【０００５】
本明細書で後述する本発明の実施形態は、改良された絶縁回路及びその使用方法を提供する。
【０００６】
したがって、本発明の実施形態によれば、電子回路が提供され、その電子回路は、絶縁増幅器であって、入力ＡＣ信号を受信するように結合された第１の入力端子を有し、かつ線形オプトアイソレータを含み、第１の出力端子を有して、入力信号に比例するＡＣ成分を有するユニポーラ信号を第１の出力端子にて供給するように結合されている、絶縁増幅器と、トランスインピーダンス受信機であって、第１の演算増幅器であって、第２の出力端子と第１の差動入力端子及び第２の差動入力端子とを有し、第１の差動入力端子は、回路からの出力信号を第２の出力端子にて供給するように、ユニポーラ出力信号を第１の出力端子から受信し増幅するように結合されている、第１の演算増幅器と、第２の演算増幅器であって、積分器として構成されており、第２の差動入力端子に結合された第３の出力端子を有し、また第３の差動入力端子及び第４の差動入力端子を有し、第３の差動入力端子は、出力信号を、第２の出力端子及び接地に接続された第４の差動入力端子から受信するように結合されている、第２の演算増幅器と、を含む、トランスインピーダンス受信機と、を備える。
【０００７】
いくつかの実施形態において、トランスインピーダンス受信機は、第２の演算増幅器に結合された入力抵抗器及び帰還コンデンサを含み、値は、高域フィルタとして構成されたＡＣ結合増幅器としてトランスインピーダンス受信機が機能するように選択される。開示される実施形態において、高域フィルタは、単極高域フィルタである。
【０００８】
更なる開示される実施形態において、第２の出力端子での出力信号は、ゼロのＤＣ成分を有する。
【０００９】
尚も他の実施形態において、絶縁増幅器は、基準ＤＣ電圧を受信するように結合された第２の入力端子を有し、一方、トランスインピーダンス受信機は、基準ＤＣ電圧を使用せずに出力信号を生成する。
【００１０】
また、本発明の実施形態によれば、電子回路を製造する方法が更に提供されており、その方法は、絶縁増幅器を設けることであって、その絶縁増幅器は、入力ＡＣ信号を受信するように結合された第１の入力端子を有し、かつ線形オプトアイソレータを含み、第１の出力端子を有して、入力信号に比例するＡＣ成分を有するユニポーラ信号を第１の出力端子にて供給するように結合されている、設けることと、トランスインピーダンス受信機を設けることであって、トランスインピーダンス受信機は、第１の演算増幅器であって、第２の出力端子と第１の差動入力端子及び第２の差動入力端子とを有し、第１の差動入力端子は、回路からの出力信号を第２の出力端子にて供給するように、ユニポーラ出力信号を第１の出力端子から受信し増幅するように結合されている、第１の演算増幅器と、第２の演算増幅器であって、積分器として構成されており、第２の差動入力端子に結合された第３の出力端子を有し、また第３の差動入力端子及び第４の差動入力端子を有し、第３の差動入力端子は、出力信号を、第２の出力端子及び接地に接続された第４の差動入力端子から受信するように結合されている、第２の演算増幅器と、を含む、設けることと、を含む。
【００１１】
本発明の実施形態によれば、トランスインピーダンス受信機は、第２の演算増幅器に結合された入力抵抗器及び帰還コンデンサを含み、値は、高域フィルタとして構成されたＡＣ結合増幅器としてトランスインピーダンス受信機が機能するように選択される方法が更に提供される。
【００１２】
本発明の実施形態によれば、高域フィルタが単極高域フィルタを含む方法が更に提供される。
【００１３】
本発明の実施形態によれば、第２の出力端子での出力信号がゼロのＤＣ成分を有する方法が更に提供される。
【００１４】
本発明の実施形態によれば、絶縁増幅器が、基準ＤＣ電圧を受信するように結合された第２の入力端子を有し、一方、トランスインピーダンス受信機が、任意の基準ＤＣ電圧を使用せずに出力信号を生成する方法が更に提供される。
【００１５】
本発明は、以下の「発明を実施するための形態」を図面と併せ読むことによって、より完全な理解が得られるであろう。
【図面の簡単な説明】
【００１６】
【図１】本発明の実施形態による、電子回路の概略ブロック図である。
【図２】本発明の実施形態による、線形絶縁増幅器への入力ＡＣ信号の概略図である。
【図３】本発明の実施形態による、線形オプトカプラへの正のユニポーラ入力信号の概略図である。
【図４】本発明の実施形態による、線形オプトカプラからの正のユニポーラ出力信号の概略図である。
【図５】本発明の実施形態による、トランスインピーダンス受信機からの出力信号の概略図である。
【図６Ａ】本発明の実施形態による、電子回路の図である。
【図６Ｂ】本発明の実施形態による、電子回路の図である。
【発明を実施するための形態】
【００１７】
先に述べたように、ＡＣ信号が、線形絶縁増幅器の一部である線形オプトカプラにより正しく送信されるために、センサから生じるＡＣ信号は、その信号を線形オプトカプラへの入力として提示する前に正のユニポーラ信号に変換される。この変換は、正のＤＣオフセット電圧をＡＣ信号に追加することにより達成される。正のＤＣオフセット電圧は、線形オプトカプラの入力側の基準ＤＣ電圧に基づく。線形オプトカプラの入力側と出力側との間のオーム絶縁という要件のため、この基準ＤＣ電圧は、線形オプトカプラの出力側ではアクセス不可能である。正のユニポーラ信号が線形絶縁増幅器の出力端子に送信されると、ＤＣオフセット電圧は、初期ＡＣ信号を復元するために除去される。第２の基準ＤＣ電圧がこの目的に使用されるとき、電圧差又は時間依存ドリフトなど、絶縁増幅器の入力側及び出力側の基準電圧間のいかなる不一致は、残留ＤＣ電圧オフセットにより、復元されたＡＣ信号を歪めることになる。
【００１８】
本明細書で説明する本発明の実施形態は、任意の第２の基準ＤＣ電圧を使用することなく、高域フィルタリングという方法を線形絶縁増幅器からの出力信号に適用することにより、２つの基準電圧の使用において固有の問題を回避する。高域フィルタの周波数応答を適切に選択することにより、該フィルタは、出力信号のＡＣ成分を歪みなく送信しながら出力信号のＤＣ電圧成分を除去することになる。
【００１９】
いくつかの実施形態において、高域フィルタリングはトランスインピーダンス受信機により達成され、トランスインピーダンス受信機は、ＡＣ結合増幅器として構成されている。詳細に後述するように、トランスインピーダンス受信機は、演算増幅器を含み、演算増幅器の差動入力端子のうちの１つは、出力信号を線形絶縁増幅器から受信する。演算増幅器の出力端子は、第２の演算増幅器の差動入力端子のうちの１つに接続され、第２の演算増幅器は、積分器として構成されている。積分器（第２の演算増幅器）の第２の差動入力端子は、接地電位に接続されている。積分器の出力端子は、第１の演算増幅器の第２の差動入力端子に接続されており、負帰還をこの演算増幅器に供給し、第１の演算増幅器の出力信号のＤＣ成分が常にゼロであることを確実にする。
【００２０】
したがって、第１の演算増幅器の出力信号は、ゼロのＤＣ成分で、初期入力ＡＣ信号を忠実に複製する。詳細に後述するように、高域フィルタの設計、特に積分器の設計は、ＤＣ成分を除去する行為がＡＣ信号に有害な影響を与えないように選択することができる。具体的には、高域フィルタを単極フィルタとして設計するとき、カットオフ周波数の位置は、ＡＣ信号の波長スペクトルを十分に下回り、一方、それでも周波数（ＤＣ）ゼロを十分に上回るように選択することができる。
【００２１】
線形絶縁増幅器及びトランスインピーダンス受信機のこの新規な組み合わせは、トランスインピーダンス受信機が高域フィルタとして構成され、第２の基準ＤＣ電圧が必要とされないことから、オーム絶縁にてＡＣ信号を送信するのに有利である。更に、復元されたＡＣ信号は、ＤＣ基準不整合、又は時間的ドリフトのために歪みがない。更に、本発明の実施形態は、このような装置のメーカから販売される任意の線形絶縁増幅器に適用することができる。
【００２２】
図１は、本発明の実施形態による、絶縁回路８の概略ブロック図である。回路８の２つの主要部分は、この図において破線によりまとめた、線形絶縁増幅器１０及びトランスインピーダンス受信機１２である。入力ＡＣ信号１４は、線形絶縁増幅器１０内の前置増幅器１６の入力端子に接続されている。前置増幅器１６において、正の基準ＤＣ電圧１８が、入力ＡＣ信号１４に追加されており、正のユニポーラ信号２０を、前置増幅器１６の出力端子にて生成する。信号２０は、線形絶縁増幅器１０内の線形オプトアイソレータ２２への入力として使用されており、オプトアイソレータ２２は、信号２０を、信号２０からオーム絶縁された正のユニポーラ出力信号２４に変換する。
【００２３】
信号２４は、トランスインピーダンス受信機１２への入力信号を形成し、信号２４は、トランスインピーダンス受信機１２内の演算増幅器回路２６の差動入力端子に接続されている。演算増幅器回路２６は、出力信号２８を形成し、出力信号２８は、トランスインピーダンス受信機１２内の積分器３０の差動入力端子に接続されている。積分器３０の第２の差動入力端子は、接続部３２を介して接地電位に接続されている。積分器３０の出力信号３４は、演算増幅器回路２６の第２の差動入力端子に接続されており、負帰還を演算増幅器回路２６に供給して、出力信号２８がゼロのＤＣ成分を有し、出力信号２８が当初の入力ＡＣ信号１４を復元することを確実にする。
【００２４】
図２〜図５は、図１を追加的に参照すると、図１の回路８内の様々な場所での信号電圧の概略図である。横軸は、時間を表し、縦軸は、信号の電圧を表す。
【００２５】
図２は、入力ＡＣ信号１４の概略図である。入力ＡＣ信号１４は、ゼロのＤＣ成分でＡＣ成分のみを有する。
【００２６】
図３は、正の基準ＤＣ電圧１８を入力ＡＣ信号１４に追加した後の、前置増幅器１６からの出力信号である正のユニポーラ信号２０の概略図である。正の基準ＤＣ電圧１８の大きさは、図３においてＶＲＥＦとして示されている。正のユニポーラ信号２０の最小値は、線形オプトカプラ２２の適切な機能に必要とされるように、図３においてＶＴＨにより示されている。
【００２７】
図４は、線形オプトアイソレータ２２からの出力信号２４の概略図である。簡潔さのために線形オプトアイソレータ２２についてユニティゲインを想定して、出力信号２４は、正のユニポーラ信号２０の正確な復元である。
【００２８】
図５は、出力信号２８の概略図であり、出力信号２４内に存在するＤＣ成分は、トランスインピーダンス受信機１２がＡＣカップリング増幅器として機能するために除去済みであり、残りのＡＣ成分は、入力ＡＣ信号１４の忠実な復元である。
【００２９】
図６Ａは、本発明の実施形態による電子回路３６の概略図である。明瞭さのために、図６Ａは、一般的な電子回路表記を使用して電子回路３６を示す。電子回路３６内の電子部品の典型的な値又は形式を表１において下記に示すが、当業者は、これらの値及び形式の変形例を認識するであろう。
【００３０】
【表１】
2017188898.tif 000003
【００３１】
電子回路３６の典型的な供給電圧を表２において下記に示す。
【００３２】
【表２】
2017188898.tif 000004
【００３３】
電子回路３６の更なる説明及び明確化を以下の図、図６Ｂに示す。
【００３４】
図６Ｂは、図１の回路８の機能要素を付加的に参照した電子回路３６の概略図である。主要な機能的な回路部品、つまり、線形絶縁増幅器１０及びトランスインピーダンス受信機１２は、電子回路３６において破線で概説されている。絶縁増幅器１０及びトランスインピーダンス受信機１２の内部の回路部品−前置増幅器１６、線形オプトアイソレータ２２、演算増幅器回路２６、及び積分器３０−は、主要な機能的な回路部品内に破線で更に概説されている。信号及び基準電圧は、図１にしたがってラベル付けされている。
【００３５】
前置増幅器１６は、演算増幅器Ｕ１を含み、差動入力端子間の電圧は、入力ＡＣ信号１４（回路図３６においてＶＩＮとラベル付け）及び基準ＤＣ電圧１８（回路図３６においてＶＲＥＦとラベル付け）の和である。抵抗器Ｒ１が、ダイオードＤ１を通る順電流を決定する。抵抗器Ｒ２が、ダイオードＤ１を通る最大電流値を制限し、出力コンデンサＣ１が、潜在的な寄生振動を防止する。
【００３６】
演算増幅器回路２６は、演算増幅器Ｕ７を含み、抵抗器Ｒ３が、出力段ゲインを決定し、コンデンサＣ２が、その周波数挙動を制御する。積分器３０は、演算増幅器Ｕ２、並びに、入力抵抗器３８（Ｒ４）、及び、帰還コンデンサ４０（Ｃ３）を含み、機能を後述する。積分器３０及び演算増幅器回路２６の組み合わせは、単極高域フィルタ応答を有するＡＣ結合増幅器として機能する。
【００３７】
積分器３０の機能的特性は、抵抗器３８及びコンデンサ４０により制御される。これらの部品の値を示すと、抵抗器３８のＲ４により、及び、コンデンサ４０のＣ３による電子回路３６の図にしたがって、高域フィルタのカットオフ周波数ｆＣＵＴＯＦＦは、
【数１】
2017188898.tif 000005
であるように計算することができる。
【００３８】
カットオフ周波数ｆＣＵＴＯＦＦが、入力ＡＣ信号１４の波長スペクトルを十分に下回り、一方、それでも周波数（ＤＣ）ゼロを十分に上回るように選択されるとき、入力ＡＣ信号１４は、任意の残留ＤＣ信号なく、出力信号２８にて忠実に復元されることになる。
【００３９】
図６Ａ及び図６Ｂは、一例として回路部品の特定の電子構成及び選択を示すが、回路８の原理は、当業者に明らかになるように、他の回路部品及び成分値を使用して代替的に実行することができる。したがって、上記に述べた実施形態は、例として引用したものであり、また本発明は、上記に詳細に示し説明したものに限定されないことが認識されよう。むしろ、本発明の範囲は、上記されている種々の特徴の組み合わせ及び部分的組み合わせと、前述の説明を読むことに基づいて当業者が想起するであろう、先行技術に開示されていない変形例及び修飾との両方を含む。
【００４０】
〔実施の態様〕
（１）  電子回路であって、
絶縁増幅器であって、入力ＡＣ信号を受信するように結合された第１の入力端子を有し、かつ線形オプトアイソレータを含み、第１の出力端子を有して、前記入力信号に比例するＡＣ成分を有するユニポーラ信号を前記第１の出力端子にて供給するように結合されている、絶縁増幅器と、
トランスインピーダンス受信機であって、
第１の演算増幅器であって、第２の出力端子と第１の差動入力端子及び第２の差動入力端子とを有し、前記第１の差動入力端子は、前記回路からの出力信号を前記第２の出力端子にて供給するように、前記ユニポーラ出力信号を前記第１の出力端子から受信し増幅するように結合されている、第１の演算増幅器と、
第２の演算増幅器であって、積分器として構成されており、前記第２の差動入力端子に結合された第３の出力端子を有し、また第３の差動入力端子及び第４の差動入力端子を有し、前記第３の差動入力端子は、前記出力信号を、前記第２の出力端子及び接地に接続された前記第４の差動入力端子から受信するように結合されている、第２の演算増幅器と、を含む、トランスインピーダンス受信機と、
を備える、電子回路。
（２）  前記トランスインピーダンス受信機は、前記第２の演算増幅器に結合された入力抵抗器及び帰還コンデンサを含み、値は、高域フィルタとして構成されたＡＣ結合増幅器として前記トランスインピーダンス受信機が機能するように選択されている、実施態様１に記載の電子回路。
（３）  前記高域フィルタは、単極高域フィルタを含む、実施態様２に記載の電子回路。
（４）  前記第２の出力端子での前記出力信号は、ゼロのＤＣ成分を有する、実施態様１に記載の電子回路。
（５）  前記絶縁増幅器は、基準ＤＣ電圧を受信するように結合された第２の入力端子を有し、一方、前記トランスインピーダンス受信機は、任意の基準ＤＣ電圧を使用せずに前記出力信号を生成する、実施態様１に記載の電子回路。
【００４１】
（６）  電子回路を製造する方法であって、
絶縁増幅器を設けることであって、前記絶縁増幅器は、入力ＡＣ信号を受信するように結合された第１の入力端子を有し、かつ線形オプトアイソレータを含み、第１の出力端子を有して、前記入力信号に比例するＡＣ成分を有するユニポーラ信号を前記第１の出力端子にて供給するように結合されている、設けることと、
トランスインピーダンス受信機を設けることであって、前記トランスインピーダンス受信機は、
第１の演算増幅器であって、第２の出力端子と第１の差動入力端子及び第２の差動入力端子とを有し、前記第１の差動入力端子は、前記回路からの出力信号を前記第２の出力端子にて供給するように、前記ユニポーラ出力信号を前記第１の出力端子から受信し増幅するように結合されている、第１の演算増幅器と、
第２の演算増幅器であって、積分器として構成されており、前記第２の差動入力端子に結合された第３の出力端子を有し、また第３の差動入力端子及び第４の差動入力端子を有し、前記第３の差動入力端子は、前記出力信号を、前記第２の出力端子及び接地に接続された前記第４の差動入力端子から受信するように結合されている、第２の演算増幅器と、を含む、設けることと、を含む、方法。
（７）  前記トランスインピーダンス受信機は、前記第２の演算増幅器に結合された入力抵抗器及び帰還コンデンサを含み、値は、高域フィルタとして構成されたＡＣ結合増幅器として前記トランスインピーダンス受信機が機能するように選択される、実施態様６に記載の方法。
（８）  前記高域フィルタは、単極高域フィルタを含む、実施態様７に記載の方法。
（９）  前記第２の出力端子での前記出力信号は、ゼロのＤＣ成分を有する、実施態様６に記載の方法。
（１０）  前記絶縁増幅器は、基準ＤＣ電圧を受信するように結合された第２の入力端子を有し、一方、前記トランスインピーダンス受信機は、任意の基準ＤＣ電圧を使用せずに前記出力信号を生成する、実施態様６に記載の方法。
【図１】
2017188898.tif 000006
【図２】
2017188898.tif 000007
【図３】
2017188898.tif 000008
【図４】
2017188898.tif 000009
【図５】
2017188898.tif 000010
【図６Ａ】
2017188898.tif 000011
【図６Ｂ】
2017188898.tif 000012
【外国語明細書】
2017188898000001.pdf